(57)【特許請求の範囲】
【請求項１】
上面が調理部である電磁式調理器本体を筒状に形成すると共にその外面に係合ネジ部を刻設して電磁式調理器を構成し、調理台に内側面に被ネジ係合部を形成した取り付け貫通孔を形成し、該調理台の取り付け貫通孔に、電磁式調理器を嵌合し係合して調理台上に電磁式調理器上面を露出せしめて取り付けてなる電磁式調理装置。
【請求項２】
電磁式調理器の上部全周に鍔部を形成すると共に調理台の取り付け貫通孔上部に、この鍔部が収まる受け部を設けた請求項１記載の電磁式調理装置。
【請求項３】
電磁式調理器の鍔部の下面を逆円錐状斜面とし、調理台の取り付け貫通孔上部に設けた受け部を逆円錐状受面にして調理台上に電磁式調理器上面を突出することなく露出せしめて取り付けてなる請求項２記載の電磁式調理装置。
【発明の詳細な説明】
【技術分野】
【０００１】
本発明は、電磁式調理装置に関する。さらに詳しくは、電磁式調理器を調理台に組み込んで使用される電磁式調理装置に関するものである。
【背景技術】
【０００２】
従来から下記特許文献１に示されるように、システムキッチン等における調理台の部位に電磁式調理機器を組み込んだものが知られている。このものでは、調理台に相当するキャビネットの上面のカウンタートップに、機器組込用の凹部を比較的大きく形成し、一方、電磁調理器たる加熱器本体を筐体に搭載することで電磁式調理機器を構成し、この筐体ごと一体に機器組込用の凹部に収容せしめるとともに筐体に設けたフランジ部をカウンタートップに支持せしめて、当該筐体を凹部の内壁面にネジ等で固定して組み込んでいる。
【０００３】
しかし、このように筐体に電磁調理器たる加熱器本体を搭載して構成した電磁式調理機器はサイズも比較的大きくなり、しかも重量も重くなるため、その組み込み作業は容易とは言えなかった。
【特許文献１】特開２００５−２１４５７７号公報
【発明の開示】
【発明が解決しようとする課題】
【０００４】
本発明は、上記従来例等における事情に鑑みてなされたもので、比較的簡易な作業にて電磁調理器の取り付けを行うことができる電磁式調理装置を提供せんとするものである。
【課題を解決するための手段】
【０００５】
上記課題を解決するために、本発明にかかる電磁式調理装置は、上面が調理部である電磁式調理器本体を筒状に形成すると共にその外面に係合ネジ部を刻設して電磁式調理器を構成し、調理台に内側面に被ネジ係合部を形成した取り付け貫通孔を形成し、該調理台の取り付け貫通孔に、電磁式調理器を嵌合し係合して調理台上に電磁式調理器上面を露出せしめて取り付けてなることを特徴とするものである。
【０００６】
本発明では、電磁式調理器の上部全周に鍔部を形成すると共に調理台の取り付け貫通孔上部に、この鍔部が収まる受け部を設けることができる。
【０００７】
また、この場合、電磁式調理器の鍔部の下面を逆円錐状斜面とし、調理台の取り付け貫通孔上部に設けた受け部を逆円錐状受面にして調理台上に電磁式調理器上面を突出することなく露出せしめて取り付けるようにすると好ましい。
【発明の効果】
【０００８】
本発明の電磁式調理装置は、筒状に形成すると共にその外面に係合ネジ部を刻設した電磁式調理器を、調理台の取り付け貫通孔に嵌合し係合して調理台上に電磁式調理器上面を露出せしめるという、比較的簡易な作業にて取り付けを行うことができる。
【０００９】
また、本発明では、電磁式調理器の上部全周に鍔部を形成すると共に調理台の取り付け貫通孔上部に、この鍔部が収まる受け部を設けておくと、鍔部が調理台上面側に出っ張らず、フラットな外観を得ることができる。清掃も容易となる。
【００１０】
さらにこのとき、電磁式調理器の鍔部の下面を逆円錐状斜面とし、調理台の取り付け貫通孔上部に設けた受け部を逆円錐状受面にしておくと、取り付け貫通孔に上方から電磁式調理器を調理台の取り付け貫通孔上部に位置合わせしやすくなるため、取り付け時の作業性が向上する。
【発明を実施するための最良の形態】
【００１１】
以下、本発明の実施形態について図面を参照して、詳細に説明する。図１は本発明の実施形態に係る電磁式調理装置Ａを備えたキッチンキャビネットを示すものである。電磁式調理装置Ａは調理台１に電磁式調理器２を設置してなるもので、３は操作部である。調理台１は調理部たる上面５を耐熱強化ガラス、セラミック、アルミニウム等の耐熱性に優れたパネルで形成するのが望ましく、キッチンカウンターのデザインを考慮して所望の化粧面とすることが可能である。
【００１２】
図２に示すごとく、この調理台１は内側面に被ネジ係合部４を形成した取り付け貫通孔５を形成してある。また、上面が調理部６である電磁式調理器２はその本体部を筒状に形成されてその外面に係合ネジ部８が刻設されている。そして、この電磁式調理器２を調理台１の取り付け貫通孔５に嵌合し係合して図３に示す電磁式調理装置Ａを構成する。
【００１３】
電磁式調理器２の上面の調理部６は表面を耐熱層９で被覆されている。耐熱層９は耐熱ガラスやセラミック等の耐熱性、透磁性に優れた材料で形成されており、エネルギー効率を損なうことが少なく、上面５の清掃も容易に行えるものである。また、電磁式調理器２では、この耐熱層９を含む上部全周に鍔部１１を形成し、鍔部１１下面を逆円錐状斜面１２としている。
【００１４】
一方、調理台１の取り付け貫通孔４は上部には係止鍔部１１が収まる受け部１０が形成されている。この受け部１０は、鍔部１１下面の逆円錐状斜面１２に対応するように逆円錐状受面に形成されている。
【００１５】
電磁式調理器２の調理台１への取り付けは、取り付け貫通孔５に電磁式調理器２を被ネジ係合部４と係合ネジ部８をネジ結合することにより行われるために、着脱が容易に行えるものである。
【００１６】
本発明では、上記実施形態に限らず、本発明の概念の範囲で適宜変形することも可能であり、例えば図３に示すような変形例に係る電磁式調理装置Ｂでもよい。この電磁式調理装置Ｂでは、電磁式調理器２の上部に形成される係止鍔部１１が、横方向に薄板状に張り出した形状となっており、電磁式調理器２の本体部は真っ直ぐな筒状に形成されている。このものでは、電磁式調理器２を調理台１の取り付け貫通孔４に上方より回転させながら螺合し、鍔部１１が調理台１の天板に当接した状態で、所定の取り付け位置となって電磁式調理器２が固定される。
【００１７】
また、図３に示すような更に他の変形例に係る電磁式調理装置Cとすることもできる。この電磁式調理装置Cでは、電磁式調理器２の上部がテーパ状に狭小し、その上端は平坦に形成されている。一方、調理台１の取り付け貫通孔５は上記テーパに対応するよう天板１３の厚みにおいて逆テーパ状に形成されている。この天板１３の裏面には、補強用の裏材１４が取り付け固定されている。この裏材１４はその中央部に上下に貫通する貫通孔を有しており、この貫通孔が被ネジ係合部４を形成した筒孔をなし、その位置を取り付け貫通孔５に一致させることで、天板１３にて逆テーパ状に形成した部分に連続した取り付け貫通孔５の一部となっている。
【００１８】
そして、電磁式調理器２を調理台１の天板１３の下側から取り付け貫通孔５に挿入し、外面の係合ネジ部８を裏材１４の貫通孔にて構成される取り付け貫通孔５の被ネジ係合部４にネジ結合して取り付ける。
【００１９】
上述した電磁式調理装置Ａ、B、Cにおいては、必要に応じて電磁式調理器２をネジが緩む方向に回転させることで、取り付け貫通孔５から取り外しができる。従って、電磁式調理器２の取替えや修理が容易に行える。
【図面の簡単な説明】
【００２０】
【図１】本発明の一実施形態における電磁式調理装置Ａを備えたキッチンキャビネットを示す斜視図。
【図２】図１に示す実施形態の電磁式調理装置の分解図。
【図３】本発明の実施形態での変形例にかかる電磁式調理装置の断面図。
【図４】他の変形例にかかる電磁式調理装置の断面図。
【符号の説明】
【００２１】
１                  調理台
２                  電磁式調理器
３                  操作部
４                  被ネジ係合部
５                  取り付け貫通孔
６                  調理部
８                  係合ネジ部
１０                逆円錐状受面
１１                鍔部
１２                逆円錐状斜面
１３                天板
１４                裏材
【図１】
0004849019.tif 000002
【図２】
0004849019.tif 000003
【図３】
0004849019.tif 000004
【図４】
0004849019.tif 000005